(57)【要約】      （修正有）【課題】コンパス機能を有する多機能クリップを提供する。【解決手段】多機能クリップＸは、線材１０を複数回湾曲させることにより構成され、円形の中心部０と、線材１０を湾曲させることにより中心部０を囲むように構成され、中心部０から最も離間した第１クリップ端部１１を有する第１クリップ部１と、線材１０を湾曲させることにより第１クリップ部１を囲むように構成され、中心部０から最も離間した第２クリップ端部２１を有し、第１クリップ部１と共働して紙類を挟持する第２クリップ部２と、を有している。多機能クリップ１において、中心部０から第１クリップ端部１１までの距離ａと、第１クリップ端部１１から第２クリップ端部２１までの距離ｂと、は等しい。【選択図】図１
0003214405.tif 000002
【実用新案登録請求の範囲】
【請求項１】
線材を複数回湾曲させることにより構成された多機能クリップであって、
円形の中心部と、
前記線材を湾曲させることにより前記中心部を囲むように構成され、前記中心部から最も離間した第１クリップ端部を有する第１クリップ部と、
前記線材を湾曲させることにより前記第１クリップ部を囲むように構成され、前記中心部から最も離間した第２クリップ端部を有し、前記第１クリップ部と共働して紙類を挟持する第２クリップ部と、を有し、
前記中心部から前記第１クリップ端部までの距離と、前記第１クリップ端部から前記第２クリップ端部までの距離と、は等しいことを特徴とするコンパス機能を有する多機能クリップ。
【請求項２】
前記第１クリップ部は前記線材を円弧状に湾曲させることにより構成され、前記第１クリップ端部は前記円弧の一部であり、
前記第２クリップ部は前記線材を円弧状に湾曲させることにより構成され、前記第２クリップ端部は前記円弧の一部であることを特徴とする請求項１に記載のコンパス機能を有する多機能クリップ。
【請求項３】
前記第１クリップ端部は、前記線材を屈曲させることにより構成され、
前記第２クリップ端部は、前記線材を屈曲させることにより構成されたことを特徴とする請求項１に記載のコンパス機能を有する多機能クリップ。
【請求項４】
前記中心部に隣接する円形の隣接中心部をさらに有し、
前記中心部と前記隣接中心部との距離と、前記隣接中心部と前記第１クリップ端部との距離は等しく、
前記隣接中心部と前記第１クリップ端部との距離は、前記第１クリップ端部と前記第２クリップ端部との距離の半分であることを特徴とする請求項１から３のいずれか１項に記載のコンパス機能を有する多機能クリップ。
【請求項５】
前記線材を湾曲させることにより前記第２クリップ部を囲むように構成され、前記中心部から最も離間した第３クリップ端部を有する第３クリップ部をさらに有し、
前記第１クリップ端部から前記第２クリップ端部までの距離と、前記第２クリップ端部から前記第３クリップ端部までの距離と、は等しいことを特徴とする請求項１から４のいずれか１項に記載のコンパス機能を有する多機能クリップ。
【考案の詳細な説明】
【技術分野】
【０００１】
本考案は、多機能クリップに関し、特にコンパスの機能を備える多機能クリップに関する。
【背景技術】
【０００２】
複数の種類の紙を留めることができる２重のクリップが知られている（例えば、特許文献１）。２重のクリップでは、サイズの異なる複数種類の紙をクリップで留めることができる。
【０００３】
また、１つのクリップで大小二種類の挟持力を有するクリップが知られている（例えば、特許文献２）。このクリップは、第１リング部と、第２リング部と、第３リング部と、を有している。第１リング部及び第３リング部を書類の一方の面に対向させ、第２リング部を書類の他方の面に対向させるように書類をクリップで挟持することにより、強い挟持力で書類を保持することができる。また、第１リング部及び第２リング部を書類の一方の面に対向させ、第３リング部を書類の他方の面に対向させるように書類をクリップで挟持することにより、弱い挟持力で書類を保持することができる。
【先行技術文献】
【特許文献】
【０００４】
【特許文献１】特開２０１７−７４７６５号公報
【特許文献２】実開平５−１２１７４号公報
【考案の概要】
【考案が解決しようとする課題】
【０００５】
しかしながら、従来のクリップは書類を挟持する機能のみしか有しておらず、他の用途として使用することはなかった。筆記用具入れには多くの種類の文房具が収納されており、例えばクリップが複数の機能を有すると所持する文房具を減らすことができるが、そのようなクリップは存在していなかった。
【０００６】
そこで、本考案は複数の機能を有する多機能クリップを提供することを目的とする。
【課題を解決するための手段】
【０００７】
上記課題を解決するために本考案は、線材を複数回湾曲させることにより構成された多機能クリップであって、円形の中心部と、前記線材を湾曲させることにより前記中心部を囲むように構成され、前記中心部から最も離間した第１クリップ端部を有する第１クリップ部と、前記線材を湾曲させることにより前記第１クリップ部を囲むように構成され、前記中心部から最も離間した第２クリップ端部を有し、前記第１クリップ部と共働して紙類を挟持する第２クリップ部と、を有し、前記中心部から前記第１クリップ端部までの距離と、前記第１クリップ端部から前記第２クリップ端部までの距離と、は等しいことを特徴とするコンパス機能を有する多機能クリップを提供する。
【０００８】
このような構成によると、中心部に第１のペンを挿入することにより多機能クリップを紙面に固定して第１クリップ端部又は第２クリップ端部に第２のペンを当接させ、第２のペンを第１のペン（中心部）を中心に回転させることにより、円を描くことができる。これにより、クリップにコンパスとしての機能を持たせることができ、コンパスを所持することなくクリップのみで円を描くことができる。特に、中心部から第１クリップ端部までの距離と第１クリップ端部から第２クリップ端部までの距離とは等しいため、多機能クリップを用いることで特定の半径を有する円を描くことができる。例えば、中心部と第１クリップ端部との距離を１ｃｍとすると、第１のペンを中心部に挿入し第２のペンを第１クリップ端部に当接させ中心部を中心に多機能クリップを回転させることで半径１ｃｍの円を描くことができ、第２のペンを第２クリップ端部に当接させ中心部を中心に多機能クリップを回転させることにより半径２ｃｍの円を描くことができる。これにより、多機能クリップで特定の半径を有する円を描くことができる。
【０００９】
また、前記第１クリップ部は前記線材を円弧状に湾曲させることにより構成され、前記第１クリップ端部は前記円弧の一部であり、前記第２クリップ部は前記線材を円弧状に湾曲させることにより構成され、前記第２クリップ端部は前記円弧の一部であることが好ましい。
【００１０】
このような構成によると、第１クリップ端部及び第２クリップ端部は円弧形状であるため、第２のペンで円を描く際に、第２のペンが第１クリップ端部又は第２クリップ端部に引っ掛かることなく滑らかに円を描くことができる。これにより、多機能クリップで円滑に綺麗な円を描くことができる。
【００１１】
また、前記第１クリップ端部は、前記線材を屈曲させることにより構成され、前記第２クリップ端部は、前記線材を屈曲させることにより構成されたことが好ましい。
【００１２】
このような構成によると、第１クリップ端部及び第２クリップ端部は屈曲されているため、第２のペンで円を描く際に、第２のペンが第１クリップ端部又は第２クリップ端部にしっかりと保持された状態でずれることなく円を描くことができる。これにより、多機能クリップで円滑に綺麗な円を描くことができる。
【００１３】
また、前記中心部に隣接する円形の隣接中心部をさらに有し、前記中心部と前記隣接中心部との距離と、前記隣接中心部と前記第１クリップ端部との距離は等しく、前記隣接中心部と前記第１クリップ端部との距離は、前記第１クリップ端部と前記第２クリップ端部との距離の半分であることが好ましい。
【００１４】
このような構成によると、中心部又は隣接中心部を中心に円を描くことにより、１つの多機能クリップで細かい単位の半径の円を描くことができる。
【００１５】
また、前記線材を湾曲させることにより前記第２クリップ部を囲むように構成され、前記中心部から最も離間した第３クリップ端部を有する第３クリップ部をさらに有し、前記第１クリップ端部から前記第２クリップ端部までの距離と、前記第２クリップ端部から前記第３クリップ端部までの距離と、は等しいことが好ましい。
【００１６】
このような構成によると、多機能クリップは第３クリップ部をさらに有しているため、より大きな半径を有する円を描くことができる。また、多機能クリップは、中心部と、第１クリップ部と、第２クリップ部と、第３クリップ部との４重構造となるため、複数種類の紙を係止することができる。例えば、中心部と第１クリップ部との間に紙を挟持し、第２クリップ部と第３クリップ部との間に異なる種類の紙を挟持することができる。なお、第３クリップ部を囲む第４クリップ部をさらに有していてもよく、第４クリップ部を囲む第５クリップ部をさらに有していてもよい。
【考案の効果】
【００１７】
本考案によれば、複数の機能を有する多機能クリップを提供することができる。
【図面の簡単な説明】
【００１８】
【図１】本考案の第１の実施の形態の多機能クリップの平面図である。
【図２】本考案の第１の実施の形態の多機能クリップで紙類を挟持した状態の図である。
【図３】本考案の第１の実施の形態の多機能クリップで円を描くときの図である。
【図４】本考案の第２の実施の形態の多機能クリップの平面図である。
【図５】本考案の第３の実施の形態の多機能クリップの平面図である。
【図６】本考案の第２の実施の形態の変形例の多機能クリップの平面図である。
【考案を実施するための形態】
【００１９】
本考案の第１の実施の形態による多機能クリップを図１乃至図３に基づき説明する。図１に示すように上下左右方向を定義する。
【００２０】
多機能クリップＸは、中心部０と、第１クリップ部１と、第２クリップ部２と、第３クリップ部３と、第４クリップ部４と、第５クリップ部５と、を有している。多機能クリップＸは、アルミ又はステンレス等の金属製の線材１０を湾曲させることにより構成される。線材１０は、一端部２０と、他端部３０とを有している。多機能クリップＸは、左右方向に延びる中心線Ｌに対して線対称の形状を成している。第１クリップ部１乃至第５クリップ部５は、互いに略相似である。
【００２１】
中心部０は、一端部２０から線材１０を略円形に湾曲させることにより構成されている。中心部０は、図３に示すように、多機能クリップＸをコンパスとして使用し円を描く際の中心として機能する。また、中心部０は、第２クリップ部２、第３クリップ部３、第４クリップ部４、第５クリップ部５の少なくとも１つと共働して紙類を挟持するクリップとして機能する。
【００２２】
第１クリップ部１は略楕円形状をなし、線材１０を中心部０から楕円状に湾曲させて中心部０を囲むように形成されている。第１クリップ部１の内側左端部に内接するように中心部０が位置し、第１クリップ部１は中心部０から左右方向に最も離間した第１クリップ端部１１を有している。第１クリップ端部１１は楕円の円弧の一部であって、中心部０の中心と距離ａだけ離間している。本実施の形態では、中心部０の中心と第１クリップ端部１１との距離を距離ａとしたが、中心部０の任意の場所を始点として距離ａを定義してもよい。
【００２３】
第２クリップ部２は略楕円形状をなし、線材１０を第１クリップ部１から楕円状に湾曲させて第１クリップ部１を囲むように形成されている。第２クリップ部２の内側左端部に内接するように第１クリップ部１が位置し、第２クリップ部２は中心部０から左右方向に最も離間した第２クリップ端部２１を有している。第２クリップ端部２１は楕円の円弧の一部であって、第１クリップ端部１１と距離ｂだけ離間している。第１クリップ端部１１と第２クリップ端部２１との距離ｂは、中心部０と第１クリップ端部１１との距離ａに等しい。
【００２４】
第３クリップ部３は略楕円形状をなし、線材１０を第２クリップ部２から楕円状に湾曲させて第２クリップ部２を囲むように形成されている。第３クリップ部３の内側左端部に内接するように第２クリップ部２が位置し、第３クリップ部３は中心部０から左右方向に最も離間した第３クリップ端部３１を有している。第３クリップ端部３１は、楕円の円弧の一部であって、第２クリップ端部２１と距離ｃだけ離間している。第２クリップ端部２１と第３クリップ端部３１との距離ｃは、第１クリップ端部１１と第２クリップ端部２１との距離ｂに等しい。
【００２５】
第４クリップ部４は略楕円形状をなし、線材１０を第３クリップ部３から楕円状に湾曲させて第３クリップ部３を囲むように形成されている。第４クリップ部４の内側左端部に内接するように第３クリップ部３が位置し、第４クリップ部４は中心部０から左右方向に最も離間した第４クリップ端部４１を有している。第４クリップ端部４１は楕円の円弧の一部であって、第３クリップ端部３１と距離ｄだけ離間している。第３クリップ端部３１と第４クリップ端部４１との距離ｄは、第２クリップ端部２１と第３クリップ端部３１との距離ｃに等しい。
【００２６】
第５クリップ部５は略楕円形状をなし、線材１０を第４クリップ部４から楕円状に湾曲させて第４クリップ部４を囲むように形成されている。第５クリップ部５の内側左端部に内接するように第４クリップ部４が位置し、第５クリップ部５は中心部０から左右方向に最も離間した第５クリップ端部５１を有している。第５クリップ端部５１は楕円の円弧の一部であって、第４クリップ端部４１と距離ｅだけ離間している。第４クリップ端部４１と第５クリップ端部５１との距離ｅは、第３クリップ端部３１と第４クリップ端部４１との距離ｄに等しい。つまり、距離ａ、ｂ、ｃ、ｄ、ｅはいずれも等しく、本実施の形態では距離ａ乃至ｅはいずれも約１ｃｍとなっている。この距離ａ乃至ｅは多機能クリップＸのサイズに応じて任意に設定することができる。
【００２７】
次に、図２及び図３を参照して、多機能クリップＸの使用方法を説明する。図２に示すように、第３クリップ部３と第４クリップ部４との間に紙類４０を挟持し多機能クリップＸをクリップとして使用する。中心部０と第１クリップ部１との間、第１クリップ部１と第２クリップ部２との間、又は第２クリップ部２と第３クリップ部３との間に他の種類の紙類を挟持することもできる。これにより、多機能クリップＸで複数種類の紙類を同時に挟持することができる。
【００２８】
図３に示すように、多機能クリップＸはコンパスとしての機能も備えている。多機能クリップＸをコンパスとして使用する際は、第１のペンＡの第１ペン先Ａ０を中心部０に挿入し、第２のペンＢの第２ペン先Ｂ０を第１クリップ端部１１、第２クリップ端部２１、第３クリップ端部３１、第４クリップ端部４１、第５クリップ端部５１のいずれかに当接させる。図３に示す状態では、第２ペン先Ｂ０を第５クリップ端部５１に当接させている。
【００２９】
図３に、多機能クリップＸをコンパスとして使用する際の使用方法を示す。中心部０に第１のペンＡの第１ペン先Ａ０を挿入して多機能クリップＸと紙とを仮固定し、第２のペンＢの第２ペン先Ｂ０を第５クリップ端部５１に当接させる。第２のペンＢを、点線で示す初期位置から第１のペンＡを中心に１８０°回転させることにより円弧５０を描く。その後、第２のペンＢを第１のペンＡを中心にさらに１８０°回転させることにより、多機能クリップＸを用いて中心部０を中心とした直径約１０ｃｍの円を描くことができる。なお、図３においては、説明のために第１のペンＡ及び第２のペンＢを縮小し多機能クリップＸを拡大して記載しているため、中心部０の端部に第１ペン先Ａ０が位置しているが、中心部０のサイズを第１ペン先Ａ０よりも僅かに大きいサイズに設定することにより第１ペン先Ａ０を中心部０の中心に配置することができる。これにより、より正確に多機能クリップＸを用いて中心部０を中心とした直径１０ｃｍの円を描くことができる。多機能クリップＸでは、第２ペン先Ｂ０を第１クリップ端部１１に当接させることにより直径約２ｃｍの円を、第２ペン先Ｂ０を第２クリップ端部２１に当接させることにより直径約４ｃｍの円を、第２ペン先Ｂ０を第３クリップ端部３１に当接させることにより直径約６ｃｍの円を、第２ペン先Ｂ０を第４クリップ端部４１に当接させることにより直径約８ｃｍの円をそれぞれ描くことができる。
【００３０】
このような構成によると、中心部０に第１のペンＡを挿入することにより多機能クリップＸを紙面に固定して第１クリップ端部１１又は第２クリップ端部２１に第２のペンＢを当接させ、第２のペンＢを第１のペンＡ（中心部０）を中心に回転させることにより、円を描くことができる。これにより、クリップにコンパスとしての機能を持たせることができる。特に、中心部０から第１クリップ端部１１までの距離ａと第１クリップ端部１１から第２クリップ端部２１までの距離ｂとは等しいため、多機能クリップＸを用いることで特定の半径を有する円を描くことができる。例えば、中心部０と第１クリップ端部１１との距離を１ｃｍとすると、第１のペンＡを中心部０に挿入し第２のペンＢを第１クリップ端部１１に当接させ中心部０を中心に多機能クリップＸを回転させることで半径１ｃｍの円を描くことができ、第２のペンＢを第２クリップ端部２１に当接させ中心部０を中心に多機能クリップＸを回転させることにより半径２ｃｍの円を描くことができる。
【００３１】
このような構成によると、第１クリップ端部１１及び第２クリップ端部２１は円弧形状であるため、第２のペンＢで円を描く際に、第２のペンＢが第１クリップ端部１１又は第２クリップ端部２１に引っ掛かることなく滑らかに円を描くことができる。これにより、多機能クリップＸで円滑に綺麗な円を描くことができる。
【００３２】
このような構成によると、多機能クリップＸは第３クリップ部３をさらに有しているため、より大きな半径を有する円を描くことができる。また、多機能クリップＸは、中心部０と、第１クリップ部１と、第２クリップ部２と、第３クリップ部３との４重構造となるため、複数種類の紙を係止することができる。例えば、中心部０と第１クリップ部１との間に紙を挟持し、第２クリップ部２と第３クリップ部３との間に異なる種類の紙を挟持することができる。
【００３３】
次に、図４を参照して第２の実施の形態について説明する。上述の実施の形態と同様の構成については同一の符号を付し、説明を省略する。図４に示すように、上下左右方向を定義する。
【００３４】
多機能クリップＹは、略円形の中心部１００と、中心部に隣接する隣接中心部１００’と、を有している。中心部１００及び隣接中心部１００’は線材１０を８の字状に曲げることにより構成され、中心部１００と隣接中心部１００’とは略同一形状である。中心部１００と隣接中心部１００’とは左右方向に互いに接していて、一端部２０が隣接中心部１００’に位置している。中心部１００の中心と隣接中心部１００’の中心との距離ａ１と、隣接中心部１００’の中心と第１クリップ端部１１との距離ａ２は等しく、距離ａ１と距離ａ２との和が距離ｂと等しい。本実施の形態では、距離ａ１及び距離ａ２はそれぞれ０．５ｃｍである。距離ａ１及び距離ａ２は多機能クリップＹのサイズに応じて任意に設定することができる。
【００３５】
多機能クリップＹでは、第１ペン先Ａ０を中心部１００に挿入し、第２ペン先Ｂ０を第１クリップ端部１１、第２クリップ端部２１、第３クリップ端部３１、第４クリップ端部４１、第５クリップ端部５１に当接させて中心部１００を中心に第２ペン先Ｂ０を回転させることにより、それぞれ直径約２ｃｍ、４ｃｍ、６ｃｍ、８ｃｍ、１０ｃｍの円を描くことができる。また、第１ペン先Ａ０を隣接中心部１００’に挿入し、第２ペン先Ｂ０を第１クリップ端部１１、第２クリップ端部２１、第３クリップ端部３１、第４クリップ端部４１、第５クリップ端部５１に当接させて隣接中心部１００’を中心に第２ペン先Ｂ０を回転させることにより、それぞれ直径約１ｃｍ、３ｃｍ、５ｃｍ、７ｃｍ、９ｃｍの円を描くことができる。これにより、１つの多機能クリップＸで直径１〜１０ｃｍまで１ｃｍ刻みで円を描くことができる。
【００３６】
このような構成によると、中心部１００又は隣接中心部１００’を中心に円を描くことにより、１つの多機能クリップＹで細かい単位の半径の円を描くことができる。
【００３７】
次に、図５を参照して第３の実施の形態について説明する。上述の実施の形態と同一の構成については、同一の符号を付し説明を省略する。図５に示すように、上下左右方向を定義する。
【００３８】
多機能クリップＺは、第１クリップ部１０１と、第２クリップ部１０２と、第３クリップ部１０３と、第４クリップ部１０４と、第５クリップ部１０５と、を有している。第１クリップ部１０１乃至第５クリップ部１０５はそれぞれ略滴形状をなし、互いに略相似である。第１クリップ部１０１は、線材１０を中心部１００から湾曲させて中心部１００及び隣接中心部１００’を囲むように構成されている。第１クリップ部１０１の内側左端部に内接するように中心部１００が位置し、第１クリップ部１０１は中心部１００から左右方向に最も離間した第１クリップ端部１１１を有している。第１クリップ端部１１１は、右方向（中心部１００から離間する方向）に突出するように屈曲されており、隣接中心部１００’の中心と距離ａ２だけ離間している。
【００３９】
第２クリップ部１０２は、線材１０を第１クリップ部１０１から湾曲させて第１クリップ部１０１を囲むように構成されている。第２クリップ部１０２の内側左端部に内接するように第１クリップ部１０１が位置し、第２クリップ部１０２は中心部１００から左右方向に最も離間した第２クリップ端部１２１を有している。第２クリップ端部１２１は、右方向に突出するように屈曲されており、第１クリップ端部１１１と距離ｂだけ離間している。
【００４０】
第３クリップ部１０３は、線材１０を第２クリップ部１０２から湾曲させて第２クリップ部１０２を囲むように構成されている。第３クリップ部１０３の内側左端部に内接するように第２クリップ部１０２が位置し、中心部１００から左右方向に最も離間した第３クリップ端部１３１を有している。第３クリップ端部１３１は、右方向に突出するように屈曲されており、第２クリップ端部１２１と距離ｃだけ離間している。
【００４１】
第４クリップ部１０４は、線材１０を第３クリップ部１０３から湾曲させて第３クリップ部１０３を囲むように構成されている。第４クリップ部１０４の内側左端部に内接するように第３クリップ部１０３が位置し、第４クリップ部１０４は中心部１００から左右方向に最も離間した第４クリップ端部１４１を有している。第４クリップ端部１４１は、右方向に突出するように屈曲されており、第３クリップ端部１３１と距離ｄだけ離間している。
【００４２】
第５クリップ部１０５は、線材１０を第４クリップ部１０４から湾曲させて第４クリップ部１０４を囲むように構成されている。第５クリップ部１０５の内側左端部に内接するように第４クリップ部１０４が位置し、第５クリップ部１０５は中心部１００から左右方向に最も離間した第５クリップ端部１５１を有している。第５クリップ端部１５１は、右方向に突出するように屈曲されており、第４クリップ端部１４１と距離ｅだけ離間している。
【００４３】
このような構成によると、第１クリップ端部１１１及び第２クリップ端部１２１は屈曲されているため、第２のペンＢで円を描く際に、第２のペンＢが第１クリップ端部１１１又は第２クリップ端部１２１にしっかりと保持された状態でずれることなく円を描くことができる。これにより、多機能クリップＺで円滑に綺麗な円を描くことができる。
【００４４】
本考案による多機能クリップは、上述した実施の形態に限定されず、実用新案登録請求の範囲に記載された考案の要旨の範囲内で種々の変更が可能である。
【００４５】
上述の実施の形態では、中心部０の中心から第１クリップ端部１１までの距離ａと第１クリップ端部１１から第２クリップ端部２１までの距離ｂとが等しかったが、これに限定されない。距離ａは、中心部の任意の位置から第１クリップ端部１１までとしてもよく、距離ｂはこの当該距離ａと等しければよい。これにより、より正確に多機能クリップＸによって描かれる円の半径を設定することができる。
【００４６】
第２の実施の形態では、第１クリップ部１から第５クリップ部５までの５重のクリップ構造であったが、これに限定されない。例えば、図６の第２の実施の形態の変形例に示すように、多機能クリップＹ’は、中心部１００及び隣接中心部１００’を有し、第１クリップ部１、第２クリップ部２、及び第３クリップ部３の３重構造により構成されるクリップであってもよい。
【符号の説明】
【００４７】
Ｘ，Ｙ，Ｚ，Ｙ’    多機能クリップ
０，１００    中心部
１，１０１    第１クリップ部
２，１０２    第２クリップ部
３，１０３    第３クリップ部
１０    線材
１１，１１１  第１クリップ端部
２１，１２１  第２クリップ端部
３１，１３１  第３クリップ端部
４０    紙類
１００’  隣接中心部
【図１】
0003214405.tif 000003
【図２】
0003214405.tif 000004
【図３】
0003214405.tif 000005
【図４】
0003214405.tif 000006
【図５】
0003214405.tif 000007
【図６】
0003214405.tif 000008